(57)【要約】【課題】改善された眼鏡を提供する。【解決手段】レンズ（１２，１４）と、連結部材（２２，２４）と、つる（１８，２０）とを備えた眼鏡（１０）であって、連結部材（２２，２４）はレンズ（１２，１４）に連結されると共に、レンズ（１２，１４）からほぼ外方に延設された取付部（６５）を備える。つる（１８，２０）は、長手方向軸を画定する主部（１９，２１）と、レンズ（１２，１４）に向かって概ね内方に延びる補助軸を画定する補助部（２３，２５）とを備えている。補助部（２３，２５）は、長手方向軸に対して４５度以下の角度をなす挿入軸に沿ったつる（１８，２０）の相対移動により、取付部（６５）と着脱可能に組み合って係合する。【選択図】図４
2007529766.tif 000002
【特許請求の範囲】
【請求項１】
ａ．  レンズ（１２，１４）、
ｂ．  上記レンズ（１２，１４）に連結される連結部材（２２，２４）であって、上記レンズ（１２，１４）からほぼ外方に延設された取付部（６５）を備える連結部材（２２，２４）、及び
ｃ．  上記連結部材（２２，２４）に着脱可能に取り付けられるつる（１８，２０）を備えた眼鏡（１０）であって、
上記つる（１８，２０）は、
ｉ．  長手方向軸を画定する主部（１９，２１）、及び
ｉｉ．  上記レンズ（１２，１４）に向けて概ね内方に延びる補助軸を画定する補助部（２３，２５）であって、上記長手方向軸に対して４５度以下の角度をなす挿入軸に沿った上記つる（１８，２０）の相対移動により、上記取付部（６５）と着脱可能に組み合って係合する補助部（２３，２５）
を備えることを特徴とする眼鏡。
【請求項２】
上記挿入軸は、上記長手方向軸に対して２０度以下の角度をなすことを特徴とする請求項１に記載の眼鏡。
【請求項３】
上記挿入軸は、上記長手方向軸とほぼ平行であることを特徴とする請求項２に記載の眼鏡。
【請求項４】
ａ．  上記補助部（２３，２５）はピンを備え、
ｂ．  上記連結部材（２２，２４）は上記ピンを受容する凹部を備えており、
ｃ．  上記ピンは、上記挿入軸にほぼ直角に上記補助部（２３，２５）から外方に延設されることを特徴とする請求項２に記載の眼鏡。
【請求項５】
ａ．  上記連結部材（２２，２４）はピン（６４）を備え、
ｂ．  上記補助部（２３，２５）は上記ピン（６４）を受容する凹部（５７）を備えており、
ｃ．  上記ピン（６４）は、上記挿入軸にほぼ直角に上記連結部材（２２，２４）から外方に延設されることを特徴とする請求項２に記載の眼鏡。
【請求項６】
上記眼鏡（１０）は縁なし眼鏡（１０）であることを特徴とする請求項５に記載の眼鏡。
【請求項７】
上記凹部（５７）は溝部（４８）内に設けられ、上記溝部（４８）は上記挿入軸とほぼ平行に指向されていることを特徴とする請求項６に記載の眼鏡。
【請求項８】
上記ピン（６４）は、
ａ．  上記溝部（４８）の外部にあるときには第１非変形形状をなし、
ｂ．  上記溝部（４８）内に挿入される際に上記第１非変形形状から第２変形形状に変形し、
ｃ．  上記凹部（５７）によって受容されているときには上記第１非変形形状をなすことを特徴とする請求項７に記載の眼鏡。
【請求項９】
ａ．  上記ピン（６４）は第１ピン（６４）であり、
ｂ．  上記凹部（５７）は第１凹部（５７）であって、
ｃ．  上記連結部材（２２，２４）は第２ピン（６６）を備え、
ｄ．  上記補助部（２３，２５）は、上記第２ピン（６６）を受容する第２凹部を備えることを特徴とする請求項７に記載の眼鏡。
【請求項１０】
ａ．  上記溝部（４８）は第１溝部（４８）であり、
ｂ．  上記第２凹部は第２溝部内に設けられ、上記第２溝部が上記挿入軸にほぼ沿って指向されていることを特徴とする請求項９に記載の眼鏡。
【請求項１１】
上記ピン（６４）はほぼ円筒状をなすことを特徴とする請求項８に記載の眼鏡。
【請求項１２】
上記凹部（５７）はほぼ円筒状をなすことを特徴とする請求項１１に記載の眼鏡。
【請求項１３】
上記溝部（４８）は、
ａ．  上記挿入軸に沿って上記つる（１８，２０）が移動する際に上記ピン（６４）を受容するための開口を形成するほぼ直線状の溝（２００）、及び
ｂ．  上記開口に対向するほぼ半円筒状の端部（２０２）
を備えたことを特徴とする請求項１２に記載の眼鏡。
【請求項１４】
ａ．  上記凹部（５７）は凹部内面（２０４）を形成し、
ｂ．  上記半円筒状端部（２０２）はほぼ半円筒状の端面（２０６）を形成し、
ｃ．  上記半円筒状端面（２０６）は上記凹部内面（２０４）から連続的に延設されることを特徴とする請求項１３に記載の眼鏡。
【請求項１５】
上記溝部（４８）は上記溝（２００）と上記半円筒状端部（２０２）との間の上記溝部（４８）内に内方に延設される第１隆起部（４８）を備え、上記第１隆起部（４８）は上記開口に対向する上記溝（２００）の端部内に上記ピン（６４）が嵌合して係止するのを許容することを特徴とする請求項１４に記載の眼鏡。
【請求項１６】
上記溝部（４８）は、上記溝（２００）と上記半円筒状端部との間の上記溝部（４８）内に内方に延設された第２隆起部（４９）を更に備え、上記第１及び第２隆起部（４８，４９）は、上記溝（２００）内で互いに対向することを特徴とする請求項１５に記載の眼鏡。
【請求項１７】
上記つる（１８，２０）には空洞（５４）が形成され、上記空洞（５４）は、
ａ．  上記溝部（４８）及び上記凹部（５７）を備え、
ｂ．  上記連結部材（２２，２４）の少なくとも一部を受容することを特徴とする請求項５に記載の眼鏡。
【請求項１８】
ａ．  上記ピン（６４）は、上記挿入軸とほぼ平行な回転軸を画定し、
ｂ．  上記空洞（５４）は、上記ピン（６４）上で上記回転軸廻りに上記つる（１８，２０）が回動するのを許容する形状及び寸法を有することを特徴とする請求項１７に記載の眼鏡。
【請求項１９】
ａ．  上記空洞（５４）は、上記回転軸にほぼ平行な空洞側接合面（５２）を形成し、上記空洞側接合面（５２）は、上記空洞側接合面（５２）に直角であると共に上記レンズ（１２，１４）に向かってほぼ内方に指向する空洞側接合面直交ベクトルを画定し、
ｂ．  上記連結部材（２２，２４）は、上記回転軸にほぼ平行な連結部材側接合面（６１）を形成し、上記連結部材側接合面（６１）は、上記連結部材側接合面（６１）に直角であると共に上記レンズ（１２，１４）からほぼ外方に指向する連結部材側壁直交ベクトルを画定するものであって、
ｉ．  上記レンズ（１２，１４）は、前面（２７，２９）及び背面（２６，２８）を形成し、
ｉｉ．  上記連結部材側接合面（６１）及び上記空洞側接合面（５２）は、上記回転軸廻りに上記つる（１８，２０）が回動して上記長手方向軸と上記背面とがなす角度が所定角度まで増大したときに、互いに接触することを特徴とする請求項１６に記載の眼鏡。
【請求項２０】
上記連結部材側接合面（６１）と上記空洞側接合面（５２）とが互いに接触すると、上記長手方向軸と上記背面とがなす角度が増大するような上記回転軸廻りの上記つる（１８，２０）の回動が、上記連結部材側接合面（６１）と上記空洞側接合面（５２）との接触力によって阻止されることを特徴とする請求項１９に記載の眼鏡。
【請求項２１】
上記連結部材側接合面（６１）及び上記空洞側接合面（５２）は、上記背面（２６，２８）から離間する上記つる（１８，２０）の回動の際に、上記つる（１８，２０）と上記レンズ（１２，１４）とが互いに直接接触するのを防止することを特徴とする請求項２０に記載の眼鏡。
【請求項２２】
上記連結部材側接合面（６１）は、上記レンズ（１２，１４）と上記ピン（６４）との間で上記連結部材（２２，２４）に設けられることを特徴とする請求項２１に記載の眼鏡。
【請求項２３】
ａ．  上記眼鏡（１０）は、上記連結部材（２２，２４）を上記レンズ（１２，１４）に取り付ける留め具（７２）を備え、
ｂ．  上記連結部材（２２，２４）は、上記回転軸にほぼ直角に形成されて上記留め具（７２）を受容する取付孔（６２）を備えることを特徴とする請求項１８に記載の眼鏡。
【請求項２４】
上記レンズ（１２，１４）は、上記留め具（７２）を受容するように設けられた取付孔（３２，３４）を備えることを特徴とする請求項２３に記載の眼鏡。
【請求項２５】
ａ．  上記留め具（７２）はねじを含み、
ｂ．  上記取付孔（３２，３４）は、上記ねじが螺合するねじ穴であることを特徴とする請求項２４に記載の眼鏡。
【請求項２６】
上記取付孔（３２，３４）は、上記レンズ（１２，１４）内に部分的に延設されることを特徴とする請求項２５に記載の眼鏡。
【請求項２７】
上記取付孔（６２）はねじの形成されていない孔であることを特徴とする請求項２５に記載の眼鏡。
【請求項２８】
ａ．  上記連結部材（２２，２４）は突起（６８）を備え、
ｂ．  上記レンズ（１２，１４）は上記突起（６８）を保持する切り欠き（４２，４４）を備えており、
ｃ．  上記切り欠き（４２，４４）及び上記突起（６８）は、上記取付孔のほぼ軸線方向となる孔軸線回りの上記連結部材（２２，２４）の回動を阻止するよう配置されると共に構成され、寸法が定められることを特徴とする請求項２３に記載の眼鏡。
【請求項２９】
上記切り欠き（４２，４４）及び上記突起（６８）は半円筒状であることを特徴とする請求項２８に記載の眼鏡。
【請求項３０】
上記留め具（７２）は上記背面（２６，２８）に向けて上記連結部材（２２，２４）を押し付けることを特徴とする請求項２３に記載の眼鏡。
【請求項３１】
上記連結部材（２２，２４）は、そのいかなる部分も上記前面（２７，２９）に直接接触することがないように配置されると共に構成され、寸法が定められることを特徴とする請求項３０に記載の眼鏡。
【請求項３２】
ａ．  上記連結部材（２２，２４）は、上記レンズ（１２，１４）に取り付けられるときに上記レンズ（１２，１４）の背面（２６，２８）に接触すると共に上記回転軸とほぼ平行となる接触面を形成し、
ｂ．  上記連結部材（２２，２４）は、上記つる（１８，２０）が上記所定角度に回動することによって上記つる（１８，２０）にほぼ直角となる連結軸を画定し、
ｃ．  上記接触面と上記連結軸とのなす角度は個別に予め設定された角度の集合の中から選択されることを特徴とする請求項１９に記載の眼鏡。
【請求項３３】
予め設定された角度の上記集合は、眼鏡（１０）を装着しようとする使用者が体験する快適性を改善するよう、上記レンズ（１２，１４）の曲面に上記連結部材（２２，２４）を適合させるものであることを特徴とする請求項３２に記載の眼鏡。
【請求項３４】
予め設定された角度の上記集合は、約１１度、約１７度、及び約２４度を含むことを特徴とする請求項３２に記載の眼鏡。
【請求項３５】
上記連結部材（２２，２４）は、上記回転軸にほぼ直角な対称面に対してほぼ面対称となっていることを特徴とする請求項１９に記載の眼鏡。
【請求項３６】
ａ．  上記レンズ（１２，１４）は第１レンズ（１２，１４）であり、
ｂ．  上記眼鏡（１０）は更に第２レンズ（１２，１４）を備え、
ｃ．  上記第１及び第２レンズ（１２，１４）は鼻当て（１６）を介して連結され、
ｄ．  上記鼻当て（１６）は、使用者の鼻の上に上記眼鏡（１０）を支持するように配置されると共に構成され、寸法が定められることを特徴とする請求項５に記載の眼鏡。
【請求項３７】
上記鼻当て（１６）は、
ａ．  上記鼻を受け止めるパッド部材（７４）、
ｂ．  上記鼻当て（１６）を上記第１及び第２レンズ（１２，１４）のそれぞれに連結する第１及び第２連結体（７８，７９）、及び
ｃ．  ブリッジ部（７６）を備え、
上記ブリッジ部（７６）は、
ｉ．  上記第１及び第２連結体（７８，７９）、及び
ｉｉ．  上記パッド部材（７４）に連結されることを特徴とする請求項３６に記載の眼鏡。
【請求項３８】
上記鼻当て（１６）は、上記ブリッジ部（７６）の少なくとも一部を覆う着脱可能なブリッジカバー（８０）を備えることを特徴とする請求項３７に記載の眼鏡。
【請求項３９】
ａ．  上記取付孔（６２）は第１取付孔（６２）であり、
ｂ．  上記留め具（７２）は第１留め具（７２）であって、
ｃ．  上記第１レンズ（１２，１４）は第２取付孔（８２，８４）を更に備え、
ｄ．  上記眼鏡（１０）は、上記第１レンズ（１２，１４）に上記第１連結体（７８）を取り付けるための第２留め具（７２）を備えており、
ｅ．  上記第１連結体（７８）は、上記第２留め具（７２）を受容する第２取付孔（８２，８４）を備え、
ｆ．  上記第１レンズ（１２，１４）は、上記第２留め具（７２）を受容する第２取付孔を備えていることを特徴とする請求項３８に記載の眼鏡。
【請求項４０】
ａ．  上記突起（６８）は第１突起（６８）であり、
ｂ．  上記切り欠き（４２，４４）は第１切り欠き（４２，４４）であって
ｃ．  上記第１レンズ（１２，１４）は第２切り欠き（３８，４０）を更に備え、
ｄ．  上記第１連結体は第２突起（８８）を備えており、
ｅ．  上記第２切り欠き（３８，４０）及び上記第２突起（８８）は、上記第２取付孔（８２，８４）のほぼ軸線方向となる第２孔軸線回りの上記連結体の回動を阻止するように配置されると共に構成され、寸法が定められることを特徴とする請求項３９に記載の眼鏡。
【請求項４１】
ａ．  上記ブリッジ部（７６）は溝（９０）を備え、
ｂ．  上記ブリッジカバー（８０）は、上記溝（９０）と係合して上記ブリッジカバー（８０）を上記ブリッジ部（７６）に取り付けるラッチ（９４）を備えることを特徴とする請求項３８に記載の眼鏡。
【請求項４２】
ａ．  上記溝（９０）は、上記ブリッジ部（７６）の内方に延設された窪み（９１）を備え、
ｂ．  上記ラッチ（９４）は、上記窪み（９１）と着脱可能に係合して上記ブリッジカバー（８０）を上記ブリッジ部（７６）に着脱可能に固定するよう、上記ラッチ（９４）からほぼ外方に延設された延長部（９５）を備えることを特徴とする請求項４１に記載の眼鏡。
【請求項４３】
ａ．  上記ブリッジ部（７６）は複数の溝（９０）を備え、
ｂ．  上記ブリッジカバー（８０）は、上記複数の溝（９０）にそれぞれ係合して上記ブリッジカバー（８０）を上記ブリッジ部（７６）に取り付ける複数のラッチ（９４）を備えることを特徴とする請求項４２に記載の眼鏡。
【請求項４４】
ａ．  上記複数の溝（９０）のそれぞれは、上記ブリッジ部（７６）のほぼ内方に延設された窪み（９１）を備え、
ｂ．  上記複数のラッチ（９４）のそれぞれは、上記複数の窪み（９１）のそれぞれと着脱可能に係合して上記ブリッジカバー（８０）を上記ブリッジ部（７６）に着脱可能に固定するよう、上記複数のラッチ（９４）のそれぞれからほぼ外方に延設された延長部（９５）を備えることを特徴とする請求項４４に記載の眼鏡。
【請求項４５】
上記ブリッジ部（７６）、上記連結体（７８，７９）及び上記パッド部材（７４）はほぼ透明であることを特徴とする請求項４１に記載の眼鏡。
【請求項４６】
上記ブリッジカバー（８０）は着色されていることを特徴とする請求項４５に記載の眼鏡。
【請求項４７】
上記ブリッジ部（１６）と、上記第１及び第２レンズ（１２，１４）とは人間の目に対してほぼ同等の体裁を有することを特徴とする請求項４１に記載の眼鏡。
【請求項４８】
上記体裁はほぼ透明な体裁であることを特徴とする請求項４７に記載の眼鏡。
【請求項４９】
上記体裁は着色されたものであることを特徴とする請求項４７に記載の眼鏡。
【請求項５０】
上記複数の溝（９０）のそれぞれの深さは、上記複数のラッチ（９４）のそれぞれの厚みとほぼ等しいことを特徴とする請求項４６に記載の眼鏡。
【請求項５１】
ａ．  レンズ（１２，１４）、
ｂ．  上記レンズ（１２，１４）に連結される連結手段であって、上記レンズ（１２，１４）からほぼ外方に延設された取付手段を備える連結手段、及び
ｃ．  上記連結手段に着脱可能に取り付けられるつる（１８，２０）を備えた眼鏡（１０）であって、
上記つる（１８，２０）は、
ｉ．  長手方向軸を画定する主部手段（１９，２１）、及び
ｉｉ．  上記レンズ（１２，１４）に向けて概ね内方に延びる補助軸を画定する補助部手段（２３，２５）であって、上記長手方向軸に対して４５度以下の角度をなす挿入軸に沿った上記つる（１８，２０）の相対移動により、上記取付手段と着脱可能に組み合って係合する補助部手段（２３，２５）
を備えることを特徴とする眼鏡。
【請求項５２】
上記挿入軸は、上記長手方向軸とほぼ平行であることを特徴とする請求項５２に記載の眼鏡。
【請求項５３】
ａ．  レンズ（１２，１４）、
ｂ．  上記レンズ（１２，１４）に連結される連結部材（２２，２４）、及び
ｃ．  上記連結部材（２２，２４）に着脱可能に取り付けられ、長手方向軸を画定するつる（１８，２０）を備えた眼鏡（１０）であって、
ｄ．  上記連結部材（２２，２４）から上記つる（１８，２０）を取り外すために必要となり上記長手方向軸に直角に作用する最低限の直角な力は、上記連結部材（２２，２４）から上記つる（１８，２０）を取り外すために必要となり上記長手方向軸に平行に作用する最低限の平行な力より大きいことを特徴とする眼鏡。
【請求項５４】
ａ．  第１及び第２レンズ保持部（３０２）と、上記第１及び第２レンズ保持部（３０２）を互いに連結するブリッジ部（３０４）とを備えた縁（３００）、
ｂ．  上記第１及び第２レンズ保持部（３０２）によってそれぞれ保持される第１及び第２レンズ（１２，１４）、
ｃ．  上記第１及び第２レンズ保持部（３０２）の少なくとも一方から延設された連結部材（２４’）、及び
ｄ．  上記連結部材（２４’）に着脱可能に取り付けられるつる（１８，２０）を備えた眼鏡（１０’）であって、
上記つる（１８，２０）は、
ｉ．  長手方向軸を画定する主部（１９，２１）、及び
ｉｉ．  上記レンズ（１２，１４）に向かって概ね内方に延びる補助軸を画定する補助部（２３，２５）であって、上記長手方向軸に対して４５度以下の角度をなす挿入軸に沿った上記つる（１８，２０）の相対移動により、上記取付部（６５）と着脱可能に組み合って係合する補助部（２３，２５）を備えたことを特徴とする眼鏡。
【発明の詳細な説明】
【技術分野】
【０００１】
本発明は視力矯正の全般的な分野に関連し、より具体的には眼鏡に関するものである。
【背景技術】
【０００２】
一般的に、縁なし眼鏡は２つのレンズと、これら２つのレンズを連結するブリッジと、２つのつるとを備えている。つるは、その一部が各レンズの前面におけるわずかな部分を覆うようにレンズに取り付けられている。また、ブリッジがレンズの前面におけるわずかな部分を覆うことも多々ある。縁なし眼鏡の目的はレンズの周辺物をできる限り排除することにあり、レンズの前方にブリッジやつるの一部が突出することは好ましいものではない。
【０００３】
つるが取り外し可能な眼鏡も存在しており、一般的に眼鏡本体のフレームから突き出たピンと係合するようにつるに設けられた切り込みもしくは空洞を介し、つるが眼鏡本体の縁に取り付けられるようになっている。多くの場合、ピンと切り込みとによって形成されるヒンジの特定の位置を越えてつるが回動することができないように、眼鏡本体とつるとが構成される。このようにするため、つるが十分に広げられた状態にあるときには、つるの一部がフレームに接するようになっている。縁なし眼鏡にはフレームがないため、一般的に縁なし眼鏡に取り外し可能なつるが設けられることはない。
【０００４】
取り外し可能なつるを有する眼鏡におけるもう１つの問題点は、つるが眼鏡本体から比較的容易に外れてしまうことである。つるが眼鏡本体から外れやすいことにより、眼鏡を装着した使用者から眼鏡が落下し、レンズやその他の眼鏡部品が損傷してしまう可能性があり、これは極めて好ましくない問題である。
他の制限を満足するため、取り外し可能なつるはレンズにほぼ向かうような動きにより眼鏡本体に取り付けられるのが一般的である。このような取り外し可能なつるの例は、ジルエッテ・インターナショナル有限会社に対して１９９４年５月２４日に発行された特許文献１に見ることができる。
【特許文献１】米国特許第５，３１５，３２８号公報
【発明の開示】
【発明が解決しようとする課題】
【０００５】
当業者であれば、特許文献１の特許においてつるの長手方向軸線回りにねじれが作用すると、つるがレンズから容易に外れてしまうことが判るであろう。
また、この眼鏡を装着しているときに使用者の顔面にものが当たると、この構造のつるは眼鏡本体に取り付けられたままとなる。このため、そのような外部からの圧力に対して眼鏡レンズが容易に損傷してしまうおそれがある。
【０００６】
更に、多くの場合、眼鏡は高価であり、一般的に使用者は１つの眼鏡しか購入しない。このため、いくつかの状況において、１つの眼鏡を複数の方法で装飾することができるのが望ましい。
このような背景のもと、新規の縁なし眼鏡を提供する必要性が業界にあり、本発明の目的は、改善された眼鏡を提供することにある。
【課題を解決するための手段】
【０００７】
第１の観点において、本発明は、レンズと、連結部材と、つるとを備えた眼鏡を提供する。連結部材はレンズに結合されており、レンズからほぼ外方に延設された取付部を備えている。つるは、長手方向軸を画定する主部と、補助軸を規定する補助部とを備え、補助軸は概ねレンズに向けて内方に延びている。補助部は、長手方向軸に対して４５度以下の角度をなす挿入軸に沿ったつるの相対移動により、取付部と着脱可能に組み合って係合する。
【０００８】
具体的な実施態様例において、つるの長手方向軸にほぼ平行となる方向につるを移動させることにより、つるは連結部材から比較的容易に取り外すことが可能となる。しかしながら、ほかの方向への動きやねじりによって連結部材からつるが比較的容易に外れることはない。
本発明の一実施態様において、眼鏡は一方のレンズを他方のレンズと連結する鼻当てを備えており、この鼻当ては着脱可能なブリッジ部を有している。
【０００９】
着脱可能なブリッジ部及び着脱可能なつるは、眼鏡を完全に別のものとすることなく、眼鏡の美的外観の変更を可能とする点で都合がよい。
また、つるは連結部材に対して比較的容易に着脱が可能である一方で、使用者が眼鏡を装着しているときには比較的外れにくくなっている。特に、眼鏡の２つのつるを互いに広げたり、つるの長手方向軸廻りにねじりを加えたりすることで、つるが比較的容易に連結部材から外れてしまうようなことはない。
【００１０】
もう１つの利点は、連結部材からつるを取り外す際に必要となる動きにあり、装着されている眼鏡に衝撃が加えられた場合に、つるは連結部材から外れることができるようになっている。
更にもう１つの利点は、眼鏡が装着されたときに目に見える部材の量が削減されることによる美的外観の改善にある。
【００１１】
第２の観点において、本発明は、レンズと、レンズに連結された連結手段とを備えた眼鏡を提供する。連結部材は、レンズからほぼ外方に延びる取付手段を備える。更に、上記眼鏡は、連結手段に着脱可能に取り付けられたつるを備える。上記つるは、長手方向軸を画定する主部手段と、レンズに向かって概ね内方に延びる補助軸を画定する補助部手段とを備えており、上記補助部手段は、長手方向軸に対して４５度以下の角度をなす挿入軸に沿ったつるの相対移動により、取付手段と着脱可能に組み合って係合する。
【００１２】
第３の観点において、本発明は、レンズと、レンズに連結された連結部材とを備えた眼鏡を提供する。つるが連結部材に着脱可能に取り付けられ、長手方向軸を画定する。連結部材からつるを取り外すために必要となり長手方向軸に直角に作用する最低限の直角な力は、つるを連結部材から取り外すために必要となり長手方向軸に平行に作用する最低限の平行な力よりも大きい。
【００１３】
本発明の別の目的、利点及び特徴は、添付の図面にのみ関連する例として示された、好適な実施形態についての限定されない以下の説明によって、より一層明らかとなる。
【発明を実施するための最良の形態】
【００１４】
図１Ａ及び図１Ｂは眼鏡１０を示している。眼鏡１０は縁なしの眼鏡であるが、以下に述べる多くの特徴が、縁を有する眼鏡にも適用可能であることは、当業者が容易に理解することができるものである。従って、縁を有する眼鏡も本発明の範囲に含まれ、そのような縁ありの眼鏡については更に詳細を後述する。
眼鏡１０は２つのレンズ１２及び１４を備えている。これらレンズ１２及び１４は、必須ではないが互いにほぼ鏡像の関係にあって、鼻当て１６によって連結されると共に、前面２７及び２９と背面２６及び２８とを形成している。２つの連結部材２２及び２４がそれぞれレンズ１２及び１４に連結されており、２つのつる１８及び２０がそれぞれ連結部材２２及び２４に着脱可能に取り付けられている。
【００１５】
つる２２及び２４のそれぞれは、つる１８及び２０の長手方向軸に対して４５度以下の角度をなす挿入軸に沿ったつる１８及び２０の相対移動により、連結部材２２及び２４とそれぞれ組み合って係合するように構成されると共に寸法が定められている。
大まかに言って、背面２６及び２８は、眼鏡１０が装着されたときにほぼ使用者の顔に向かうようになっている。前面２７及び２９は、背面２６及び２８と向かい合わせとなって、眼鏡が装着されたときに、ほぼ使用者から離れていく方向を向いている。
【００１６】
即ち、前面２７及び２９は、レンズ１２及び１４内に伝導される入射光を受けるレンズ１２の面であって、入射光は背面２６及び２８に向かった後に使用者の目に向けて伝導される。
本発明の具体的な実施形態においてレンズ１２及び１４は、ポリカーボネートのようなポリマーやナイロン等の好適なレンズ素材からなる、処方されたレンズ、装飾的な透明レンズ、或いは減光レンズであるが、当業者はレンズ１２及び１４がその他の適合するレンズでもよいことを理解するであろう。
【００１７】
好ましく美的な外観を提供するため、本発明のいくつかの実施形態では、連結部材２２及び２４のいかなる部分もレンズ１２及び１４の前面２７及び２９に直接接触することのないように、連結部材２２及び２４が配置されると共に構成され、寸法が定められる。
図３に示すように、連結部材２２及び２４のそれぞれは、レンズ１２及び１４からそれぞれほぼ外方に延びる取付部６５を備えている。図１Ａに戻ると、つる１８及び２０のそれぞれは、長手方向軸を画定する主部１９及び２１を備えている。また、つる１８及び２０は、レンズ１２及び１４に向かってそれぞれほぼ内方に延びる補助軸を画定する補助部２３及び２５を備えている。
【００１８】
補助部２３及び２５のそれぞれは、長手方向軸に対して上述したように４５度以下の角度をなす挿入軸に沿ったつる１８及び２０の相対移動により、取付部６５と着脱可能に組み合って係合する。つる２０が連結部材２４に取り付けられる際の移動方向は矢印７１によって示されている。
換言すれば、眼鏡はレンズと、レンズに連結される連結手段とを備えており、連結手段はレンズからほぼ外方に延びる取付手段を備えている。更に、眼鏡は連結手段に着脱可能に取り付けられるつるを備えており、つるは長手方向軸を画定する主部手段と、レンズに向かって概ね内方に延びる補助軸を画定する補助部手段とを備えている。補助部手段は、長手方向軸に対して４５度以下の角度をなす挿入軸に沿ったつるの相対移動により、取付手段と着脱可能に組み合って係合する。
【００１９】
更に換言すれば、眼鏡はレンズと、レンズに連結された連結部材とを備えており、つるが連結部材に着脱可能に取り付けられ、長手方向軸を規定している。連結部材からつるを取り外すため必要であり長手方向軸に直角に作用する最低限の直角な力は、つるを連結部材から取り外すために必要であり長手方向軸に平行に作用する最低限の平行な力よりも大きい。
【００２０】
図１Ａ及び１Ｂに示された眼鏡１０は、２つのレンズ１２及び１４を備えているが、単一のレンズを備えた眼鏡も本発明の範囲に含まれることは、当業者が容易に理解しうることである。
図１Ａに示すように、眼鏡１０の挿入軸は、長手方向軸に対して３０度以下の角度をなしており、より具体的には、挿入軸は長手方向軸とほぼ平行となっている。従って、つる１８及び２０はつるの長手方向軸にほぼ平行な移動により連結部材２２及び２４にそれぞれ連結されることになる。
【００２１】
本発明のいくつかの実施形態では、図示はしないが、補助部がピンを備えると共に、連結部材がピンを受容する凹部を備えている。ピンは、挿入軸に対してほぼ直交する方向に補助部から外方に延設されている。
図に示すように本発明の別の実施形態では、それぞれの連結部材、例えば図３に示す連結部材２４がピン６４を備えている。
【００２２】
図４に示すように、それぞれのつる、例えばつる２０は補助部２５に設けられてピン６４を受容する凹部５７を備えている。凹部５７は溝部４８内に設けられており、溝部４８は挿入軸とほぼ平行に指向されている。
つる１８は、つる１８及び２０が眼鏡のそれぞれ異なる端部に取付可能となるよう、つる２０がつる１８の鏡像となっている点を除き、つる２０と同様である。また、２つのつるが同一である眼鏡も本発明の範囲に含まれるものである。
【００２３】
ピン６４は、溝部４８の外にあるときには第１非変形形状をなし、溝部４８内に挿入される際には、第１非変形形状から第２変形形状に変形する。そして、その後に凹部５７によって受容されると、ピン６４は第１非変形形状をなす。このように、連結部材２４に対してつる２０を着脱するようなつる２０の移動をもたらす上で、ピン６４の変形が必要となり、つる２０は連結部材２４に対して着脱可能に取り付けられる。
【００２４】
本発明の他の実施形態では、ピン６４が凹部５７に受容されたときに、ピン６４は第１非変形形状をなさず、変形したままとなる。
本発明のいくつかの実施形態では、連結部材のそれぞれが２つのピンを備え、つるのそれぞれが２つの凹部を備えている。例えば図４に示すように、連結部材２４は第２ピン６６を備え、つるは図示しない第２凹部を備えている。凹部５７と同様に、第２凹部は第２溝部内に設けられ、第２溝部も挿入軸にほぼ沿うように指向されている。
【００２５】
一方が凹部５７である２つの凹部だけではなくピン６４及び６６も、適切なあらゆる形状をとることができる。図に示すように本発明の具体的な実施形態では、凹部５７がほぼ円筒状をなすと共に、ピン６４もほぼ円筒状をなしている。しかしながら、ピンの厳密な形状は本発明にとって重要でないことは当業者が容易に理解しうることである。従って、本発明の別の実施形態では、凹部及びピンが別の形状を有している。
【００２６】
凹部内へのピンの挿入を可能とするため、本発明のいくつかの実施形態では、溝部４８が直線状の溝２００を備えており、溝２００は挿入軸に沿ったつる２０の移動の際にピン６４を受容する開口５６を形成している。更に、溝部４８は開口５６に対向するほぼ半円筒状の端部２０２を備えている。
凹部５７は凹部内面２０４を形成し、半円筒状端部２０２はほぼ半円筒状の端面２０６を形成しており、半円筒状端面２０６は凹部内面２０４から連続的に延設されている。従って、いくつかの実施形態において、ピン６４は半円筒状端面２０６と凹部内面２０４とに同時に接する。これにより、つる２０と連結部材２４との間の接触の力は比較的大きな面上に分散することになる。
【００２７】
図２は、つる２０に類似した代替のつる２０’を示すものであって、ピン６６を受容するための第２開口５８を形成する第２溝部５０を備えたつる２０’を示している。
しかしながら、つる２０’とつる２０との相違点は、溝２００と半円筒状端部２０２との間の溝部４８内で内方に向けて延設された隆起部４８及び４９にある。隆起部４８及び４９は、開口５６に対向する溝部４８の端部内にピンが嵌合して係止することを可能とするものである。図２は２つの隆起部４８及び４９を備えたつる２０’を示しているが、適切な数の隆起部を備えたつるであれば本発明の範囲内にあることは、当業者が容易に理解できるであろう。
【００２８】
更に、つる２０は空洞５４を形成しており、この空洞５４は溝部４８及び凹部５７を備えると共に、連結部材２４を部分的に受容するようになっている。ピン６４及び６６は、挿入軸に対してほぼ直角な回転軸を画定する。空洞５４は、つる２０がピン６４及び６６上で回転軸廻りに回動することができるように構成されると共に寸法が定められる。
図に示すように本発明のいくつかの実施形態では、空洞５４が回転軸とほぼ平行な空洞側接合面５２を形成する。空洞側接合面５２は、空洞側接合面５２に直角となる空洞側接合面直交ベクトルを画定し、この空洞側接合面直交ベクトルはレンズ１４に向けてほぼ内方に指向するものとなる。
【００２９】
更に、連結部材２４は回転軸にほぼ平行な連結部材側接合面６１を形成する。連結部材側接合面６１は、連結部材側接合面６１に直角となる連結部材側接合面直交ベクトルを画定し、この連結部材側接合面直交ベクトルはレンズ１４からほぼ外方に指向するものとなる。
つる２０の長手方向軸とレンズの背面とがなす角度が所定角度まで増大すると、連結部材側接合面６１と空洞側接合面５２とは回転軸廻りのつる２０の回動により互いに接触する。
【００３０】
従って、接合面６１及び５２は、つる２０が所定距離を超えてつる１８から離間しないように協働する。空洞側接合面５２と連結部材側接合面６１とが互いに接触すると、つる２０の長手方向軸とレンズの背面との間の角度が増大するような回転軸廻りのつる２０の回動は、連結部材側接合面６１と空洞側接合面５２との間の接触力によって阻止される。
図に示すように本発明のいくつかの実施形態では、連結部材側接合面６１及び空洞側接合面５２により、つるが回動してレンズ１４の背面から離間する際に、つる２０とレンズ１４とが直接接触することが防止される。このようにするため、本発明のいくつかの実施形態では、レンズ１４とピン６４との間で連結部材２４に連結部材側接合面６１が設けられる。
【００３１】
図４に示すように本発明のいくつかの実施形態では、それぞれの連結部材、例えば連結部材２４は第２連結部材側接合面６３を備え、それぞれのつる、例えばつる２０は第２空洞側接合面５３を備えている。２対の接合面を設けることにより、より大きな面で接合面間の接触力を分散させることが可能となり、眼鏡１０に誤った力が作用することによって接合面が損傷してしまうような危険性を低減することができる。
【００３２】
本発明のいくつかの実施形態において、連結部材２４は回転軸とほぼ直角な対称面に対して面対称となっている。これにより、単一の連結部材を連結部材２４及び２２の両方に用いることが可能となり、生産効率を向上させることができる。
ここで、レンズ１２及び１４、ならびにレンズ１２及び１４への連結部材２２及び２４の取り付けについて、図７及び８を参照して更に詳細に述べる。眼鏡１０はレンズ１４に連結部材２４を取り付けるための留め具７２を備えている。この留め具７２は、連結部材２４をレンズ１４の背面２８に向けて押し付けるものである。
【００３３】
このようにするため、連結部材２４は取付孔６２を備えている。取付孔６２は回転軸にほぼ直角となっており、留め具７２を受容する。また、レンズ１４には留め具７２を受容するための取付孔３２が設けられている。
図に示す本発明の具体的な実施形態において、留め具はねじ７２の形態をなしており、グリルアミド（Grilamid）やその他の好適な素材からなっている。この場合、取付孔３２はねじ７２を内部に螺合するねじ孔となっており、図に示す取付孔３２はレンズ１４内に部分的に延びるものであるが、完全に貫通する取付孔を有したレンズも本発明の範囲に含まれる。
【００３４】
必須ではないが、本発明のいくつかの実施形態では取付孔６２がねじの形成されていない孔となっている。しかしながら、ねじの形成された取付孔も本発明の範囲に含まれる。
連結部材２４は突起６８を備えており、レンズ１４は突起６８を保持するための切り欠き４４を備えている。切り欠き４４及び突起６８は、取付孔６２のほぼ軸線方向となる孔軸線廻りの連結部材２４の回動を抑止するように、配置されると共に構成され、寸法が定められており、切り欠き４４及び突起６８はほぼ半円筒状となっている。
【００３５】
レンズ１４に対する連結部材２４の取り付けのみを詳細に述べたが、連結部材２２が同様にしてレンズ１２に取り付けられることは当業者が容易に理解できるものである。このようにするため、取付孔３４がレンズ１２に設けられており、取付孔２４は取付孔３２と同様のものとなっている。また、レンズ１２には切り欠き４２が設けられている。
本発明のいくつかの実施形態では、つる２０及び１８が連結部材２２及び２４を結ぶ軸線に対してほぼ直角となったときに、接合面５２及び６１のような接合面が互いに接触すると、眼鏡１０の最大限の快適性が得られるようになっている。この場合、つる１８及び２０は眼鏡本体に対してほぼ直角となる。レンズ１２及び１４が概ね適切な大きさとされた場合には、眼鏡１０に好ましい美的外観をもたらす一方、使用者にとって眼鏡１０を快適なものとする。
【００３６】
矯正しようとする近視や遠視の度合いが相違するレンズは、連結部材２２及び２４が設けられている位置の近傍において異なる曲面を有しているため、本発明のいくつかの実施形態では、同様に形成された複数の連結部材の中から選択する必要が生じる。
複数の連結部材の中から選択される連結部材は、図４に示すように以下の点で相違している。接合面５２及び６１のような接合面が互いに接触しているときに、つる１８及び２０に対してほぼ直角となるように直線２０３が画定されており、レンズ１２及び１４に接触する連結部材２２及び２４の面に平行となるように、もう１つの直線２０１が画定されている。直線２０３及び２０１のなす角度として角度σが定められており、複数の連結部材は角度σの値が相違することにより、レンズ１２及び１４の曲面に連結部材を適合することができるようになっている。具体的な実施の例では、角度σが１１度、１７度、及び２４度となるような連結部材が含まれるが、どのような適正な値の角度σを有する連結部材であっても本発明の範囲に含まれる。
【００３７】
図５Ａ及び図５Ｂは鼻当て１６を示しており、鼻当て１６は装着しようとする使用者の鼻で眼鏡１０を支持するよう位置決めると共に構成され、寸法が定められる。
鼻当て１６は鼻を受け止めるためのパッド部材７４と、第１レンズ１２及び第２レンズ１４にそれぞれ鼻当て１６を連結するための連結体７８及び７９とを備えている。更に鼻当て１６は、連結体７６及び７９に連結されると共にパッド部材７４に連結されるブリッジ部７６を備えている。
【００３８】
本発明の全ての実施形態において必須ではないものの、本発明のいくつかの実施形態では、鼻当て７６が図６に示される着脱可能なブリッジカバー８０を備えており、この着脱可能なブリッジカバー８０は、少なくとも部分的にブリッジ部７６を覆うようになっている。
連結体７８及び７９は、連結部材２２及び２４がレンズ１２及び１４に取り付けられるのと同様にして、鼻当て１６をレンズ１２及び１４に取り付ける。このようにするため、連結体７８及び７９は取付孔８２及び８４を備えている。取付孔８２及び８４の軸線はほぼ平行となっており、連結体７８及び７９は突起８６及び８８を備えている。
【００３９】
レンズ１２及び１４はそれぞれ取付孔３０及び３６と、切り欠き３８及び４０とを備えており、留め具（図示せず）が取付孔８２及び８４を介して取付孔３０及び３６内に挿入されることにより、鼻当て１６がレンズ１２及び１４に取り付けられる。
上述した取付孔８２及び８４と取付孔３０及び３６とは、前述した取付孔と同様のものであって、同様の構造により同様に機能するようになっている。
【００４０】
本発明の具体的な実施形態において、着脱可能なブリッジカバー８０を鼻当て１６に取り付けるため、以下のような構造が設けられている。ブリッジ部７６は溝９０を備えており、ブリッジカバー８０は溝９０と係合するラッチ９４を備ることにより、ブリッジ部７６にブリッジカバー８０を取り付けるようになっている。ラッチ９４及び溝９０の厳密な数及び構成は本発明にとって重要ではない。
【００４１】
本発明の具体的な実施形態において、いくつかの溝９０はブリッジ部７６のほぼ内方に延設された窪み９１を備えており、対応する延長部９５がラッチ９４から溝９０に向けてほぼ外方に延設されている。延長部９５は窪み９１と着脱可能に係合してブリッジカバー８０をブリッジ部７６に着脱可能に固定する。
本発明の具体的な実施形態では、溝９０のそれぞれの深さが各ラッチ９４の厚みとほぼ等しくなっている。このため、ラッチ９４が溝９０に係合する位置において、ブリッジ部７６に取り付けられた着脱可能なブリッジカバー８０がほぼ平坦な面を形成するようになっている。
【００４２】
本発明のいくつかの実施形態では、ブリッジ部７６、連結体７８及び７９、ならびにパッド部材７４はほぼ透明になっているが、ブリッジカバー８０はほぼ透明とはなっておらず、例えばブリッジカバー８０は着色されている。
ブリッジカバー８０を除く鼻当て１６と、連結部材２２及び２４とは、レンズ１２及び１４とほぼ同様の体裁を有するようにしてもよい。即ち、レンズ１２及び１４が透明である場合には、連結部材２２及び２４と、着脱可能なブリッジカバー８０を除く鼻当て１６とはほぼ透明とする。また、これに代えて、レンズ１２及び１４がサングラスに使用される場合のように暗くされている場合には、鼻当て１６ならびに連結部材２２及び２４を同様に暗くするようにしてもよい。
【００４３】
また、つる１８及び２０を透明にしてもよいし、代わりに着色するようにしてもよい。一方、着脱可能なブリッジカバー８０は、これとは逆に着色してもよいし、透明としてもよい。
従って、様々な異なる色の複数の着脱可能なブリッジカバー８０と複数のつる１８及び２０を提供することにより、眼鏡１０をそっくり交換しなくても、使用者が眼鏡１０の美的外観を容易に変更することが可能となる。更に、異なる形状のつるを用いることによって眼鏡１０の外観を変更することができる。
【００４４】
本発明のいくつかの実施形態において、レンズ１２及び１４、鼻当て１６、連結部材２２及び２４、ならびにつる１８及び２０は、別々の部品として提供される。このとき、連結部材２２及び２４ならびに鼻当て１６は、ねじによって半永久的にレンズ１２及び１４に取り付けられ、着脱可能なブリッジカバー８０ならびにつる１８及び２０は、使用者による交換或いは保管のために容易に取り外し可能となる。
【００４５】
通常の使用の際に生じる力は、一般的につるの長手方向軸に沿ったねじれ、及びつる１８及び２０を互いに離間するように押圧する力となることから、図１に示すように、つる１８及び２０が使用者による眼鏡の装着を可能とする開放状態になるときには、つる１８及び２０が眼鏡１０から勝手に分離するおそれはほとんどない。レンズ１２及び１４に対するこのような力の方向へのつる１８及び２０の動きは、眼鏡１０の別の部分の形状によって制限される。
【００４６】
しかしながら、眼鏡１０に衝撃が加わった場合、つる１８及び２０が比較的容易に連結部材２２及び２４から外れてしまうことにより、眼鏡１０に永久的な損傷が生じてしまうことを抑制できるようになる。また、接合面５２，５３，６１及び６３のような接合面はつる１８及び２０の回動を規制するだけではなく、眼鏡１０に対する衝撃による力を分散させることにより、ピン６４及び６６が破損するのを防止することができる。更に、接合面５２，５３，６１及び６３のもう１つの機能は、つる２０がレンズ１４と接触するのを防止することにより、レンズの劣化を防止できることである。
【００４７】
眼鏡１０の多くの変形例が本発明の範囲内にあり、例えばレンズ１２及び１４は単一のレンズと置き換えることが可能である。この場合、鼻当て１６は異なる形状とすることができ、或いはレンズと一体とすることができる。
更に、つる１８及び１０が連結部材２２及び２４に着脱可能に取り付けられることにより、使用者がつる１８及び２０を取り外したり交換したりすることができるが、つると連結部材とが一体のユニットとなったものも本発明の範囲に含まれる。このようにした場合には、使用者がつるを容易に交換することはできなくなる。
【００４８】
また、上述したような連結部材２２及び２４、鼻当て１６、ならびにレンズ１２及び１４の結合は、これらの別部材を取り付ける方法の一例に過ぎず、これらの部材を取り付けるための別の方法も適切であることは当業者が容易に理解できるものである。代替の方法の例としては、ナイロン糸、プラスチックのリベット、金属製ナット及びボルトの使用などがある。
【００４９】
同様に、つる１８及び２０への連結部材２２及び２４の取付構造や、鼻当て１６への着脱可能なブリッジカバー８０の取付構造は、例として示したに過ぎず、これらの取り付けを実施可能な別の様々な方法を用いることができる。
また、更なる代替例では、ねじ７２がレンズの前面から挿入される。
図９Ａは別の眼鏡１０’を示すものであり、眼鏡１０’は縁のある眼鏡である点を除いて眼鏡１０と同様である。このため、眼鏡１０’は２つのレンズ保持部３０２を形成する縁３００と、レンズ保持部３０２を相互に連結するブリッジ部３０４とを備えている。レンズ保持部３０２は、例えばレンズ１２及び１４のようなレンズ（図９Ａには示さず）を保持するために設けられている。
【００５０】
本発明のいくつかの実施形態において、ブリッジ部３０４は着脱可能なブリッジカバー８０を備えている。但し、本発明の別の実施形態では、ブリッジ部３０４は着脱可能なブリッジカバー８０を備えていない。
より詳細に図９Ｂに示すように、連結部材２４’がレンズ保持部３０２から延設されており、２つのつるが連結部材に着脱可能に取り付けられる（図９Ａには一方のつる２２のみを示す）。連結部材２４’は、レンズ１２及び１４に取り付けられる代わりに縁３００から延設される点を除き、連結部材２２及び２４と同様である。
【００５１】
以上のように好ましい実施形態により本発明を説明したが、これらは添付の請求の範囲に定められた発明の趣旨及び本質から外れずに変形することが可能である。
【図面の簡単な説明】
【００５２】
【図１Ａ】鼻当て、レンズ、連結部材及びつるを備えた眼鏡の斜視図である。
【図１Ｂ】図１Ａの眼鏡の別の斜視図である。
【図２】図１Ａのつるの端部の斜視図である。
【図３】図１Ａの連結部材の斜視図である。
【図４】図３の連結部材に対する図２のつるの取り付けを示す図である。
【図５Ａ】図１Ａの鼻当ての正面図である。
【図５Ｂ】図５Ａの鼻当ての平面図である。
【図６】図５の鼻当てに着脱可能なブリッジカバーの平面図である。
【図７】図１のレンズの正面図である。
【図８】ねじを介した図７のレンズに対する図３の連結部材の取り付けを示す断面図である。
【図９Ａ】別の眼鏡の斜視図である。
【図９Ｂ】図９Ａの眼鏡における連結部材の斜視図である。
【符号の説明】
【００５３】
１０，１０’  眼鏡
１２，１４  レンズ
１６  鼻当て
１８，２０  つる
１９，２１  主部
２２，２４，２４’  連結部材
２３，２５  補助部
３８，４０  第２切り欠き
４２，４４  切り欠き（第１切り欠き）
４７  第１隆起部
４８  溝部（第１溝部）
４９  第２隆起部
５２  空洞側接合面
５４  空洞
５７  凹部（第１凹部）
６１  連結部材側接合面
６４  ピン（第１ピン）
６５  取付部
６６  第２ピン
６８  突起（第１突起）
７２  留め具（第１留め具，第２留め具）
７４  パッド部材
７６，３０４  ブリッジ部
７８  第１連結体
７９  第２連結体
８０  ブリッジカバー
８８  第２突起
９０  溝
９１  窪み
９４  ラッチ
９５  延長部
２００  溝
２０２  半円筒状端部
２０４  凹部内面
２０６  半円筒状端面
３００  縁
３０２  レンズ保持部（第１レンズ保持部，第２レンズ保持部）
【図１Ａ】
2007529766.tif 000003
【図１Ｂ】
2007529766.tif 000004
【図２】
2007529766.tif 000005
【図３】
2007529766.tif 000006
【図４】
2007529766.tif 000007
【図５Ａ】
2007529766.tif 000008
【図５Ｂ】
2007529766.tif 000009
【図６】
2007529766.tif 000010
【図７】
2007529766.tif 000011
【図８】
2007529766.tif 000012
【図９Ａ】
2007529766.tif 000013
【図９Ｂ】
2007529766.tif 000014
【国際調査報告】
2007529766.tif 000015
2007529766.tif 000016